(57)【特許請求の範囲】
【請求項１】
配電盤の盤面に前端部分が盤面から突出するように取り付けられる計装装置であって、その前面が開放された筐体と、該筐体中に上記開放された前面から交換可能に収納され、他の機器を制御するための条件を設定する設定部が上記筐体の上記開放された前面から操作可能に配設されたコントロール基板と、上記筐体の前面を覆う、配電盤に取り付けられた状態で隣接する他の計装装置に当ることなく開閉可能に配設された前面パネルとを備え、
上記前面パネルは、手前に引き出した後、横方向に開くよう構成されてなることを特徴とする計装装置。
【請求項２】
配電盤の盤面に前端部分が盤面から突出するように取り付けられる計装装置であって、その前面が開放された筐体と、該筐体中に上記開放された前面から交換可能に収納され、他の機器を制御するための条件を設定する設定部が上記筐体の上記開放された前面から操作可能に配設されたコントロール基板と、上記筐体の前面を覆う、配電盤に取り付けられた状態で隣接する他の計装装置に当ることなく開閉可能に配設された前面パネルとを備え、
上記前面パネルは、手前に引き出した後、上方向，又は下方向にスライドすることにより開くように構成されてなることを特徴とする計装装置。
【発明の詳細な説明】
【０００１】
【発明の属する技術分野】
本発明は、計装装置に関し、特に、小型コントローラとして用いられ、その前面パネルが開閉可能なものに関するものである。
【０００２】
【従来の技術】
計装装置は、配電盤の盤面に、その前端部分が盤面から突出するようにして取り付けられ、その配電盤の一部として該配電盤の機能の一部を担うものである。従って、配電盤には、該配電盤の機能に応じて種々のタイプの計装装置が用いられる。
【０００３】
図７は、そのような従来の計装装置のうち、他の機器を制御する小型コントローラとして用いられる計装装置の構成を示す斜視図である。
この計装装置は、例えば、所定のフィードバック制御システムを構成する機器を制御するために用いられる。
図において、計装装置は、本体ケース（筐体）１を有し、該本体ケース１は、例えば、直方体形状に形成され、その前面が開放されている。そして、本体ケース１の床面１ａには、複数（図では１つ）の基板用レール１０１が前後方向に配設され、該基板用レール１０１に、他の機器を制御するための部品が搭載されたコントロール基板３やその他の部品を搭載した基板（図示せず）が嵌め込まれている。また、コントロール基板３には、上記他の機器に対する制御条件を設定するための操作釦を備えた制御条件設定部４が設けられている。
【０００４】
また、２は前面パネルであり、該前面パネル２は、本体ケース１の前面を覆うように形成され、必要に応じて、その外面にセンサ入出力，制御信号出力等を表示する表示部１０９が配設され、該表示部１０９とコントロール基板３との間がインタフェースケーブル（図示せず）で接続されている。そして、該前面パネル２は、ネジ５で本体ケース１の前端部に配設されたパネル取付板１１０に取り付けられている。
【０００５】
次に、このように構成された計装装置におけるコントロール基板３の交換方法及び制御条件設定部４の操作方法を説明する。
コントロール基板３の交換及び制御条件設定部４の操作を行うには、まず、計装装置のネジ５を外して、前面パネル２を本体ケース１から取り外す。
【０００６】
そして、コントロール基板３を基板用レール１０１から抜き取り、新しいコントロール基板３を基板用レール１０１に差し込む。
また、制御条件設定部４の操作釦を操作して、制御条件を再設定する。
【０００７】
【発明が解決しようとする課題】
しかしながら、上記従来の計装装置では、前面パネル２がネジ５によって本体ケース１に取り付けられているため、コントロール基板３を交換する場合や制御条件設定部４を操作する場合には、前面パネル２を本体ケース１から取り外す必要があり、特に、前面パネル２に表示部１０９が設けられている場合には、インタフェースケーブルの取り外し作業も併せて行わなくてはならず、手間がかかるという問題があった。
【０００８】
本発明は、上記のような問題を解決するためになされたもので、コントロール基板の交換及び制御条件設定部の操作を容易に行うことが可能な計装装置を提供することを目的としている。
【０００９】
【課題を解決するための手段】
本発明に係る計装装置は、配電盤の盤面に前端部分が盤面から突出するように取り付けられる計装装置であって、その前面が開放された筐体と、該筐体中に上記開放された前面から交換可能に収納され、他の機器を制御するための条件を設定する設定部が上記筐体の上記開放された前面から操作可能に配設されたコントロール基板と、上記筐体の前面を覆う、配電盤に取り付けられた状態で隣接する他の計装装置に当ることなく開閉可能に配設された前面パネルとを備えたものとしたものである。
【００１０】
本発明に係る計装装置は、上記計装装置において、上記前面パネルは、横方向に開くよう構成されてなるものとしたものである。
【００１１】
本発明に係る計装装置は、上記計装装置において、上記前面パネルは、下方向に開くよう構成されてなるものとしたものである。
【００１２】
本発明に係る計装装置は、上記計装装置において、上記前面パネルは、手前に引き出した後、横方向に開くよう構成されてなるものとしたものである。
【００１３】
本発明に係る計装装置は、上記計装装置において、上記前面パネルは、上方向，又は下方向にスライドすることにより開くよう構成されてなるものとしたものである。
【００１４】
本発明に係る計装装置は、上記計装装置において、上記前面パネルは、手前に引き出した後、上方向，又は下方向にスライドすることにより開くよう構成されてなるものとしたものである。
【００１５】
【発明の実施の形態】
実施の形態１．
図１は本発明の実施の形態１による計装装置の構成を示す図であって、図１(a) は斜視図、図１(b) は平面図である。
本実施の形態１による計装装置は、他の機器、例えば、所定のフィードバック制御システムを構成する機器を制御するために用いられるものであって、前面パネルが、横方向に開くよう構成されてなるものである。
図において、本実施の形態１による計装装置は、本体ケース１を有し、該本体ケース１は、例えば、直方体形状に形成され、その前面が開放されている。そして、本体ケース１の床面１ａには、複数（図では１つ）の基板用レール１０１が前後方向に配設され、該基板用レール１０１に、他の機器を制御するための部品が搭載されたコントロール基板３やその他の部品を搭載した基板（図示せず）が嵌め込まれている。また、コントロール基板３には、上記他の機器に対する制御条件を設定するための操作釦を備えた制御条件設定部４が設けられている。
【００１６】
そして、本体ケース１の天井面１ｂ，及び床面１ａの側端部（図では左側端部）に、ヒンジ６が前方に突出するように配設され、該ヒンジ６の先端部に回動軸７が配設され、該回動軸７に、前面パネル２が回動自在に取り付けられている。
【００１７】
前面パネル２は、本体ケース１の前面を覆うように形成され、その外面にセンサ入出力，制御信号出力等を表示する表示部（図示せず）が配設され、該表示部とコントロール基板３との間がインタフェースケーブル（図示せず）で接続されている。
【００１８】
次に、以上のように構成された計装装置の前面パネル２の開閉動作を説明する。
前面パネル２は、閉じた状態ではその内面が本体ケース１の前端に当接している（図１(b) の二点鎖線位置）。
その状態で、前面パネル２を手前に引くと、該前面パネル２は回動軸７を支軸として左方向に回動し、それにより、前面パネル２が左方向に開く。
次に、その状態で、前面パネル２を右方向に押すと、前面パネル２は回動軸７を支軸として右方向に回動し、その内面が本体ケース１の前端に当接する。それにより、前面パネル２が閉じる。
【００１９】
従って、前面パネル２を開閉することにより、コントロール基板３の交換や制御条件設定部４の操作を容易に行うことができる。
【００２０】
以上のように、本実施の形態１においては、計装装置において、前面パネル２を開閉可能なように配設したので、従来例のように前面パネル２を本体ケース１から取り外す必要がなく、コントロール基板３の交換及び制御条件設定部４の操作を容易に行うことができる。
【００２１】
また、本実施の形態１においては、前面パネル２が、横方向に開くよう構成されてなるものとしたので、他の計装装置が配電盤の盤面に上下方向に隣接して取り付けられている場合でも、該隣接する他の計装装置に当たることなく前面パネルを開閉して、コントロール基板３の交換及び制御条件設定部４の操作を容易に行うことができる。
【００２２】
実施の形態２．
図２は本発明の実施の形態２による計装装置の構成を示す図であって、図２(a) は斜視図、図２(b) は側面図である。
図において、図１と同一符号は同一又は相当する部分を示し、本実施の形態２による計装装置は、前面パネル２が、下方向に開くよう構成されてなるものである。
【００２３】
以下、本実施の形態２による計装装置を説明する。
本実施の形態２による計装装置は、本体ケース１の左右の側壁の前端面の下端部に、ヒンジ６がそれぞれ突設され、該ヒンジ６の前端部に回動軸７が配設され、該回動軸に前面パネル２が回動自在に取り付けられている。
【００２４】
次に、このように構成された本実施の形態２による計装装置の前面パネル２の開閉動作を説明する。
前面パネル２は、閉じた状態ではその内面が本体ケース１の前端に当接している（図２(b) の二点鎖線位置）。
その状態で、前面パネル２を手前に引くと、該前面パネル２は回動軸７を支軸として下方向に回動し、それにより、前面パネル２が下方向に開く。
次に、その状態で、前面パネル２を上方に持ち上げるようにして押すと、前面パネル２は回動軸７を支軸として上方向に回動して、その内面が本体ケース１の前端に当接し、それにより、前面パネル２が閉じる。
【００２５】
従って、他の計装装置が配電盤の盤面に左右方向に隣接して取り付けられている場合でも、該隣接する他の計装装置に当たることなく前面パネル２を開閉して、コントロール基板３の交換及び制御条件設定部４の操作を容易に行うことができる。
【００２６】
以上のように、本実施の形態２においては、計装装置において、前面パネル２が、下方向に開くよう構成されてなるものとしたので、他の計装装置が配電盤の盤面に左右方向に隣接して取り付けられている場合でも、該隣接する他の計装装置に当たることなく前面パネル２を開閉して、コントロール基板３の交換及び制御条件設定部４の操作を容易に行うことができる。
【００２７】
実施の形態３．
図３は本発明の実施の形態３による計装装置の構成を示す斜視図、図４は本発明の実施の形態３による計装装置の構成を示す図であって、図４(a) は平面図、図４(b) は側面図である。また、図４ではコントロール基板及び基板用レールを省略して描いてある。
【００２８】
図３，図４において、図１と同一符号は同一又は相当する部分を示し、本実施の形態３による計装装置は、前面パネル２が、手前に引き出した後、横方向に開くよう構成されてなるものである。
【００２９】
以下、本実施の形態３による計装装置を説明する。
本実施の形態３による計装装置は、本体ケース１の床面１ａ，奥壁の内面１ｃ，及び天井面１ｂの左側壁に沿った部分に、コの字状にスライド板用レール１０２が配設され、該スライド板レール１０２の、本体ケース１の床面１ａに配置された部分の前端部分の溝底面１０２ａに、スロープ部１２が形成され、該溝底面１０２ａの該スロープ部１２に続く部分にロック用凹部１３が穿設されている。また、上記スライド板用レール１０２に、略矩形形状のスライド板１０３が慴動自在に嵌め込まれている。
【００３０】
次に、本体ケース１より前面パネル２を手前に引き出すことができるようにしている上記スライド板１０３については、該スライド板１０３の前端面の上部に切り込み部１０３ａが形成され、該切り込み部１０３ａにかけ渡すように回動軸７が配設され、該回動軸７の該切り込み部１０３ａに位置する部分の上部に、その外周面にＶ字状の第１，第２の係合面９ａ，９ｂが形成された回転用ロック板９が水平に固定されている。また、該スライド板１０３の下面の前端部に段面１０３ｂが設けられ、該段面１０３ｂに、上記回動軸７と中心軸を共有する円柱状のロック棒収納孔１０７が穿設され、該ロック棒収納孔１０７にその中央部に鍔部１１ａを有するロック棒１１の上端部が遊嵌されている。
【００３１】
次に、上記前面パネル２のスライド板１０３への取り付けに関しては、前面パネル２の内面の左側端に沿った部分に、その上端部，及び下端部にそれぞれ上側腕部１０８ａ，及び下側１０８ｂが形成された板状の腕部材１０８が配設され、該腕部材１０８の上側腕部１０８ａが上記スライド板１０２の回動軸７に回動自在に取り付けられ、該腕部材１０８の下側腕部１０８ｂが、上記ロック棒１１の鍔部１１ａより下側の部分に回動自在に取り付けられている。また、腕部材１０８はその下面がスライド板１０２の下面と略同一平面内に位置するよう配設されている。また、上記ロック棒１１の鍔部１１ａとスライド板１０２の段面１０３ｂとの間にロック棒１１を下方に付勢するロック棒用スプリング１０が介装されており、それにより、ロック棒１１は、外力が加わらない状態では、図示するように、その下端部が腕部材１０８の下面から突出し、その下端に所定の上方への外力が加わると、上方へ退避するようになっている。
【００３２】
また、前面パネル２のロック機構に関して、該前面パネル２の内面の、腕部材１０８が配設された部分の上端に隣接する部分にストッパ収納孔１０５が穿設され、該ストッパ収納孔１０５に、その先端に上記回転用ロック板９の係合面９ａ，９ｂと係合する係合面１０４ａが形成されたストッパ１０４の基端部が遊嵌され、該ストッパ１０４の基端面と上記ストッパ収納孔１０５の底面との間に該ストッパ１０４を前方に付勢するストッパ用スプリング１０６が介装されている。これにより、前面パネル２が回動軸７を支軸に回動すると、それにつれてストッパ１０４の先端が回転用ロック板９の外周面をなぞるように移動し、該ストッパ１０４の先端が該外周面の第１，第２の係合面９ａ，９ｂが形成された部分に至ると、該ストッパ１０４が前進して該第１，第２の係合面９ａ，９ｂと係合し、それにより、前面パネル２が回転用ロック板９によりロックされる。また、そのロックされた状態で、前面パネル２を所定の力で回すと、ストッパ１０４が、第１，第２の係合面９ａ，９ｂにより押されて後退し、回転用ロック板９による前面パネル２のロックが外れる。
また、上記回転用ロック板９の第１，第２の係合面９ａ，９ｂは、前面パネル２がスライド板１０２に対し、それぞれ、直角，及び平行に位置したとき、ストッパ１０４の係合面１０４ａと係合するよう形成されている。
【００３３】
次に、以上のように構成された計装装置の前面パネルの開閉動作を説明する。
【００３４】
図３，図４において、まず、前面パネル２が閉じた状態では、スライド板１０２がスライド板用レール１０２の奥一杯まで押し込まれ、前面パネル２の内面が本体ケース１の前端に当接し、スライド板用レールの溝底面１０２ａのロック用凹部１３にスライド板１０２のロック棒１１の下端部が係合し、該ロック用凹部１３によりスライド板１０２が移動しないようロックされている。また、前面パネル２のストッパ１０４が回転用ロック板９の第１の係合面９ａと係合し、該回転用ロック板９により前面パネル２がスライド板１０２に直角になるようロックされている。
【００３５】
次に、この状態で、前面パネル２を持ち上げて手前に引くと、ロック棒１１がロック用凹部１３から抜けて、該ロック用凹部１３によるロックが外れ、前面パネル２が手前に移動する。
【００３６】
次いで、前面パネル２を所望の位置まで引き出し、その後、該前面パネル２を、回動軸７を支軸に、左方向に所定の力で回すと、回転用ロック板９のロックが外れ、前面パネル２が左方向に回動する。そして、前面パネル２がスライド板１０２に平行な位置まで回動すると、前面パネル２のストッパ１０４が回転用ロック板９の第２の係合面９ｂと係合し、前面パネル２が回転用ロック板９によりロックされる。それにより、前面パネル２が左方向に開く。
【００３７】
次に、この状態で、前面パネル２を、回動軸７を支軸に、右方向に所定の力で回すと、回転用ロック板９のロックが外れ、前面パネル２が右方向に回動する。そして、前面パネル２がスライド板１０２に直角な位置まで回動すると、前面パネル２のストッパ１０４が回転用ロック板９の第１の係合面９ａと係合し、前面パネル２が回転用ロック板９によりロックされる。
【００３８】
次いで、前面パネル２を、奥に押すと、前面パネル２が奥に移動し、スライド板１０２のロック棒１１の下端部がスライド板用レールの溝底面１０２ａのスロープ部１２により押されて後退する。そして、スライド板１０２がスライド板用レール１０２の奥一杯まで移動すると、前面パネル２の内面が本体ケース１の前端に当接するとともに、スライド板用レールの溝底面１０２ａのロック用凹部１３にスライド板１０２のロック棒１１の下端部が係合し、該ロック用凹部１３によりスライド板１０２が移動しないようロックされる。それにより、前面パネル２が閉じる。
【００３９】
従って、配電盤の盤面に、その計装装置とともに他の複数の計装装置がその計装装置を囲むように取り付けられている場合でも、該他の計装装置に当たることなく前面パネル２を開閉して、コントロール基板３の交換及び制御条件設定部４の操作を容易に行うことができる。
【００４０】
以上のように、本実施の形態３においては、計装装置において、前面パネル２が、手前に引き出した後、横方向に開くよう構成されてなるものとしたので、配電盤の盤面に、その計装装置とともに他の複数の計装装置がその計装装置を囲むように取り付けられている場合でも、該他の計装装置に当たることなく前面パネル２を開閉して、コントロール基板３の交換及び制御条件設定部４の操作を容易に行うことができる。
【００４１】
実施の形態４．
図５は本発明の実施の形態４による計装装置の構成を示す図であって、図５(a) は斜視図、図５(b) は側面図である。また、図５(b) ではコントロール基板及び基板用レールを省略して描いてある。
【００４２】
図５において、図１と同一符号は同一又は相当する部分を示し、本実施の形態４による計装装置は、前面パネル２が、手前に引き出した後、上方向又は下方向にスライドさせることにより開くよう構成されてなるものである。
【００４３】
以下、本実施の形態４による計装装置の構成を説明する。
本実施の形態４による計装装置は、本体ケース１の左右の側壁の内面１ｄに、その前端がＶ字形状に形成され、該Ｖ字形状の中央部にガイド溝１４ａが後方に延びるように形成されたガイド板１４が貼設されている。また、本体ケース１の左右の側壁の内面１ｄに、上記ガイド板１４のガイド溝１４ａの中心線上に位置する部分にガイド軸１５が配設され、該ガイド板１４のガイド溝１４ａの後端部に位置する部分に第１のロック装置１６ａが配設され、該ガイド板１４の前端面の上端部及び下端部の前方に位置する部分に第２，第３のロック装置１６ｂ，１６ｃがそれぞれ配設されている。
【００４４】
次に、本体ケース１より上記前面パネル２を手前に引き出して上方向又は下方向にスライドさせることができるようにしている引き出し金具１９については、該引き出し金具１９は、両端が丸く形成され、ガイド板１４のガイド溝１４ａに嵌合可能な幅に形成され、かつその中央部に長孔１８が形成された細長い板からなっている。そして、該引き出し金具１９は、上記本体ケース１のガイド軸１５に、その長孔１８と該ガイド軸１５の軸部１５ａとの間に隙間を有するようにして取り付けられている。また、引き出し金具１９の前端部には、回動軸７が配設され、該回動軸７に回転用ロック板９が固定されている。
また、引き出し金具１９のロック機構に関して、該引き出し金具１９の外面には、該引き出し金具１９をガイド溝１４ａの奥まで押し込んだときに上記本体ケース１の第１のロック装置１６ａに対向する部分に第１のロック用凹部２０ａが穿設され、該引き出し金具１９を手前に引き出してガイド軸１５を支軸にそれぞれ上方向，及び下方向に所定の角度まで回動させたときに、それぞれ、本体ケース１の第２のロック装置１６ｂ，及び第３のロック装置１６ｃに対向する部分に、それぞれ、第２のロック用凹部２０ｂ，及び第３のロック用凹部２０ｃが穿設されている。
【００４５】
次に、上記前面パネルについては、該前面パネル２の内面の左右の側端部の中央に、腕部材１０８がそれぞれ突設され、該腕部材１０８が上記引き出し金具１９の回動軸７にそれぞれ回動自在に取り付けられている。また、腕部材１０８の外側に隣接するように上記回動軸７の回転用ロック板９に係合するストッパ１０４が配設されている。
【００４６】
次に、前面パネル２のロック機構及び引き出し金具１９のロック機構を図６を用いて説明する。
図６は、前面パネルのロック機構及び引き出し金具のロック機構を示す図であって、図６(a) は前面パネルのロック機構を示す側面図、図６(b) は引き出し金具のロック機構を示す図５(b) のＡ−Ａ断面図である。
【００４７】
図６(a) において、図４と同一符号は同一又は相当する部分を示し、本実施の形態４による前面パネルのロック機構では、引き出し金具１９の前端部に回動軸７が配設され、該回動軸７に固定された回転用ロック板９の外周面にＶ字状の第１〜第３の係合面９ａ〜９ｃが形成されている。また、該第１〜第３の係合面９ａ〜９ｃは、引き出し金具１９が、それぞれ、水平方向，所定角度の斜め下方，及び所定角度の斜め上方を向いたとき、ストッパ１０４の係合面１０４ａと係合して、前面パネル２を垂直に保持可能なように形成されている。
【００４８】
次に、図６(b) において、本体ケース１の側壁部の内面１ｄには、その入り口部にストッパ部２５ａが設けられたロック装置収納孔２５が穿設され、該ロック収納孔２５のストッパ部２５ａの内側に可動板２２が慴動自在に配置され、該可動板２２の前面に半球状のロック部材２１が配設され、該可動板２２の後面とロック装置収納孔２５の底面との間に該可動板２２を前方に付勢するロック装置用スプリング２３が介装されており、上記ロック部材２１，可動板２２，及びロック装置用スプリング２３が第３のロック装置１６ｃを構成する。また、引き出し金具１９の外面の、上記ロック装置収納孔２５に対向する部分に、半球面状の内面を有する第３のロック用凹部２０ｃが形成されている。
【００４９】
これにより、図示するように、引き出し金具１９が、その第３のロック用凹部２０ｃがロック装置１６に対向するように位置すると、第３のロック装置１６ｃのロック部材２１が前進して、引き出し金具１９の第３のロック用凹部２０ｃに係合し、該引き出し金具１９が該第３のロック装置１６ｃによってロックされる。また、図示する状態で、引き出し金具１９に紙面厚み方向に所定の力を加えると、第３のロック装置１６ｃのロック部材２１が、該引き出し金具１９の第３のロック用凹部２０ｃの内面により押されて後退し、該第３のロック装置１６ｃによる引き出し金具１９のロックが外れる。
【００５０】
なお、図では、第３のロック装置１６ｃ，及び第３のロック用凹部２０ｃの構成を示したが、第１，第２のロック装置１６ａ，１６ｂ、及び第１，第２のロック用凹部２０ａ，２０ｂの構成も、該第３のロック装置１６ｃ，及び第３のロック用凹部２０ｃの構成と全く同じである。
【００５１】
次に、以上のように構成された計装装置の前面パネルの開閉動作を説明する。
【００５２】
図５，図６において、まず、前面パネル２が閉じた状態では、引き出し金具１９がガイド板１４のガイド溝１４ａの奥一杯まで押し込まれ、前面パネル２の内面が本体ケース１の前端に当接し（図５(b) の二点鎖線位置）、引き出し金具１９の第１のロック用凹部１６ａに第１のロック装置１６ａのロック部材２１が係合し、該第１のロック装置１６ａにより引き出し金具１９が移動しないようロックされている。また、前面パネル２のストッパ１０４が回転用ロック板９の第１の係合面９ａと係合し、該回転用ロック板９により前面パネル２が垂直になるようロックされている。
【００５３】
次に、この状態で、前面パネル２を手前に所定の力で引くと、第１のロック装置１６ａのロックが外れ、前面パネル２が手前に移動する。
【００５４】
次いで、前面パネル２を、その長孔１８の後端がガイド軸１５に当接するまで引き出し、その後、該ガイド軸１５を支点に、前面パネル２を垂直に保つようにして所定の力で下方に回すと、回転用ロック板９のロックが外れ、前面パネル２が、引き出し金具１９に対し相対的に回動しながら、引き出し金具１９とともに下方に回動する。
【００５５】
そして、前面パネル２が、引き出し金具１９が所定の角度になる位置まで回動すると、引き出し金具１９の第３のロック用凹部２０ｃと第３のロック装置１６ｃのロック用部材２１とが係合し、該引き出し金具１６が該第３のロック装置１６ｃによりロックされるとともに、前面パネル２のストッパ１０４が回転用ロック板９の第２の係合面９ｂと係合し、該回転用ロック板９により前面パネル２が垂直の状態を保持するようロックされる。それにより、前面パネル２が下方にスライドして開く。
【００５６】
次に、この状態で、前面パネル２を、ガイド軸１５を支点に、前面パネル２を垂直に保つようにして所定の力で上方に回すと、回転用ロック板９のロックが外れ、前面パネル２が、引き出し金具１９に対し相対的に回動しながら、引き出し金具１９とともに上方に回動する。
【００５７】
そして、前面パネル２が、引き出し金具１９が水平になる位置まで回動すると、前面パネル２のストッパ１０４が回転用ロック板９の第１の係合面９ａと係合し、該回転用ロック板９により前面パネル２が垂直の状態を保持するようロックされる。
【００５８】
次いで、前面パネル２をガイド板１４のガイド溝１４ａの奥一杯まで押し込むと、前面パネル２の内面が本体ケース１の前端に当接するとともに、引き出し金具１９の第１のロック用凹部１６ａに第１のロック装置１６ａのロック部材２１が係合して、該第１のロック装置１６ａにより引き出し金具１９が移動しないようロックされる。それにより、前面パネル２が閉じる。
【００５９】
また、上記と同様にして、前面パネル２を、手前に引き出した後、前面パネル２を垂直に保持するようにして、引き出し金具１９が所定の角度になるまで上方に回動させると、引き出し金具１６が第２のロック装置１６ｂによりロックされるとともに、前面パネル２のストッパ１０４が回転用ロック板９の第３の係合面９ｃに係合して、該回転用ロック板９により前面パネル２が垂直の状態を保持するようロックされ、それにより前面パネル２が上方にスライドして開く。
【００６０】
次いで、前面パネル２を、引き出し金具１９が水平になるまで下方に回動させた後、ガイド板１４のガイド溝１４ａの奥一杯まで押し込むと、前面パネル２が閉じる。
【００６１】
従って、配電盤の盤面に、その計装装置とともに他の複数の計装装置がその計装装置を囲むように取り付けられている場合でも、該他の計装装置に当たることなく前面パネル２を開閉して、コントロール基板３の交換及び制御条件設定部４の操作を容易に行うことができる。また、前面パネル２の表示部１０９の表示を見ながら制御条件設定部４を操作して制御条件を確実に設定することができる。
【００６２】
以上のように、本実施の形態４においては、計装装置において、前面パネル２が、手前に引き出した後、上方向，又は下方向にスライドすることにより開くよう構成されてなるものとしたので、配電盤の盤面に、その計装装置とともに他の複数の計装装置がその計装装置を囲むように取り付けられている場合でも、該他の計装装置に当たることなく前面パネル２を開閉して、コントロール基板３の交換及び制御条件設定部４の操作を容易に行うことができ、さらに、前面パネル２の表示部１０９の表示を見ながら制御条件設定部４を操作して制御条件を確実に設定することができる。
【００６３】
なお、上記実施の形態１では、前面パネル２を左方向に開くよう構成したが、右方向に開くよう構成してもよい。
【００６４】
また、上記実施の形態３では、前面パネル２を、手前に引き出した後、左方向に開くよう構成したが、これを、手前に引き出した後、右方向に開くよう構成してもよい。
【００６５】
また、上記実施の形態４では、前面パネル２を、手前に引き出した後、上方向，又は下方向にスライドすることにより開くよう構成したが、前面パネル２を、単に上方向，又は下方向にスライドすることにより開くよう構成してもよい。
【００６６】
【発明の効果】
以上のように、本発明によれば、配電盤の盤面に前端部分が盤面から突出するように取り付けられる計装装置であって、その前面が開放された筐体と、該筐体中に上記開放された前面から交換可能に収納され、他の機器を制御するための条件を設定する設定部が上記筐体の上記開放された前面から操作可能に配設されたコントロール基板と、上記筐体の前面を覆う、配電盤に取り付けられた状態で隣接する他の計装装置に当ることなく開閉可能に配設された前面パネルとを備えたものとしたので、前面パネルを開閉することにより、コントロール基板の交換及び制御条件設定部の操作を容易に行うことができる。
【００６７】
また、本発明によれば、前面パネルが、横方向に開くよう構成されてなるものとしたので、他の計装装置が配電盤の盤面に上下方向に隣接して取り付けられている場合でも、該隣接する他の計装装置に当たることなく前面パネルを開閉して、コントロール基板の交換及び制御条件設定部の操作を容易に行うことができる。
【００６８】
また、本発明によれば、前面パネルが、下方向に開くよう構成されてなるものとしたので、他の計装装置が配電盤の盤面に左右方向に隣接して取り付けられている場合でも、該隣接する他の計装装置に当たることなく前面パネルを開閉して、コントロール基板の交換及び制御条件設定部の操作を容易に行うことができる。
【００６９】
また、本発明によれば、前面パネルが、手前に引き出した後、横方向に開くよう構成されてなるものとしたので、配電盤の盤面に、その計装装置とともに他の複数の計装装置がその計装装置を囲むように取り付けられている場合でも、該他の計装装置に当たることなく前面パネルを開閉して、コントロール基板の交換及び制御条件設定部の操作を容易に行うことができる。
【００７０】
また、本発明によれば、前面パネルが、上方向，又は下方向にスライドすることにより開くよう構成されてなるものとしたので、他の計装装置が配電盤の盤面に左右方向、並びに下方向又は下方向に隣接して取り付けられている場合でも、該隣接する他の計装装置に当たることなく前面パネルを開閉して、コントロール基板の交換及び制御条件設定部の操作を容易に行うことができる。
【００７１】
また、本発明によれば、前面パネルが、手前に引き出した後、上方向，又は下方向にスライドすることにより開くよう構成されてなるものとしたので、複数の計装装置が、配電盤の盤面に、その計装装置とともに他の複数の計装装置がその計装装置を囲むように取り付けられている場合でも、該他の計装装置に当たることなく前面パネルを開閉して、コントロール基板の交換及び制御条件設定部の操作を容易に行うことができ、さらに、前面パネルに表示部が設けられている場合には、その表示を見ながら制御条件設定部を操作して制御条件を確実に設定することができる。
【図面の簡単な説明】
【図１】  本発明の実施の形態１による計装装置の構成を示す図であって、斜視図（図１(a) ）、及び平面図（図１(b) ）である。
【図２】  本発明の実施の形態２による計装装置の構成を示す図であって、斜視図（図２(a) ）、及び側面図（図２(b) ）である。
【図３】  本発明の実施の形態３による計装装置の構成を示す斜視図である。
【図４】  本発明の実施の形態３による計装装置の構成を示す図であって、平面図（図４(a) ）、及び側面図（図４(b) ）である。
【図５】  本発明の実施の形態４による計装装置の構成を示す図であって、斜視図（図５(a) ）、及び側面図（図５(b) ）である。
【図６】  図５の計装装置の前面パネルのロック機構及び引き出し金具のロック機構を示す図であって、前面パネルのロック機構を示す側面図（図６(a) ）、及び引き出し金具のロック機構を示す図６(a) のＡ−Ａ断面図（図６(b) ）である。
【図７】  従来の計装装置の構成を示す斜視図である。
【符号の説明】
１  本体ケース、１ａ  本体ケースの床面、１ｂ  本体ケースの天井面、
１ｃ  本体ケースの奥壁の内面、１ｄ  本体ケースの側壁の内面、２  前面パネル、３  コントロール基板、４  制御条件設定部、５  ネジ、６  ヒンジ、
７  回動軸、９  回転用ロック板、９ａ〜９ｃ  第１〜第３の係合面、１０  ロック棒用スプリング、１１  ロック棒、１１ａ  鍔部、１２  スロープ部、
１３  ロック用凹部、１４  ガイド板、１４ａ  ガイド溝、１５  ガイド軸、
１６ａ〜１６ｃ  第１〜第３のロック装置、１８  長孔、１９  引き出し金具、
２０ａ〜２０ｃ  第１〜第３のロック用凹部、２１  ロック用部材、２２  可動板、２３  ロック装置用スプリング、２５  ロック装置収納孔、２５ａ  ストッパ部、１０１  基板用レール、１０２  スライド板用レール、１０２ａ  スライド板用レールの溝底面、１０３  スライド板、１０３ａ  切り込み部、
１０３ｂ  段面、１０４  ストッパ、１０４ａ  係合面、１０５  ストッパ収納孔、１０６  ストッパ用スプリング、１０７  ロック棒収納孔、１０８  腕部材、１０８ａ  上側腕部、１０８ｂ  下側腕部、１０９  表示部、１１０  パネル取付板。
【図１】
0003816250.tif 000002
【図２】
0003816250.tif 000003
【図３】
0003816250.tif 000004
【図４】
0003816250.tif 000005
【図５】
0003816250.tif 000006
【図６】
0003816250.tif 000007
【図７】
0003816250.tif 000008